(57)【要約】個々の部品から作成されたビーム状構造体（１）は、フランジ（２）と２つのウェブ（３，４）とを備える構造体において、フランジ（２）における２つの長手の面のそれぞれに１つのウェブ（３，４）が設けられ、ここで、各ウェブは、上記フランジ（２）の長手の側壁に、好ましくは接着材によって、取り付けられることと、上記フランジ（２）から離れて対向する上記ウェブ（３，４）の端部領域（７）が、互いに対向する面（８，９）で、好ましくは接着材によって接続され、ここで、上記ウェブ（３，４）は、それぞれの場合において、断面が、伸びたＳ字状であることとを特徴としている。
2008528830.tif 000002
【特許請求の範囲】
【請求項１】
個々の部品から作成されたビーム状構造体（１，１’）であって、フランジ（２）と２つのウェブ（３，４；３’，４’）とを備える構造体において、フランジ（２）における２つの長手の面のそれぞれに１つのウェブ（３，４；３’，４’）が設けられ、ここで、各ウェブは、上記フランジ（２）の長手の側壁に、好ましくは接着材によって、取り付けられることと、上記フランジ（２）から離れて対向する上記ウェブ（３，４；３’，４’）の端部領域（７，７’）が、互いに対向する面（８，９）で、好ましくは接着材によって接続され、ここで、上記ウェブ（３，４；３’，４’）は、それぞれの場合において、断面が、伸びたＳ字状であることとを特徴とする構造体。
【請求項２】
各ウェブ（３，４；３’，４’）は、上記フランジ（２）の長手の側壁全体を覆い、
上記フランジ（２）の頂部全体を越えた位置で取り付けられることを特徴とする請求項１に従う構造体。
【請求項３】
上記フランジ（２）の長手の側壁に沿って伸びる上記ウェブ（３，４）の端部は、好ましくは、組立後の上記構造体（１）または上記構造体の未完成品（３１）に機械加工を施すことにより、それぞれ、上記フランジ（２）の外側（１４）における少なくとも一部と同一の平面になっていることを特徴とする請求項２に従う構造体。
【請求項４】
上記幅（１７）対上記高さ（１８）の比の範囲は、１：２０と１：１との間であり、好ましくは１：６から１：１までであり、特に１：３．５から１：２．５までであることを特徴とする請求項１から３までの１つまたは幾つかに従う構造体。
【請求項５】
木材から形成されており、好ましくは上記フランジ（２）が挽立て材から製造され、好ましくは上記ウェブ（３，４；３’，４’）が合板から製造されることを特徴とする請求項１から３までの１つまたは幾つかに従う構造体。
【請求項６】
上記ウェブ（３，４；３’，４’）は、３層の合板から形成され、該合板の外側の２層における木の繊維が、上記構造体（１，１’）の長手方向に伸びていることを特徴とする請求項５に従う構造体。
【請求項７】
グルー、特に合成樹脂のグルーを、接着材として使用することを特徴とする請求項１から６までの１つまたは幾つかに従う構造体。
【請求項８】
上記ウェブ（３，４；３’，４’）および上記フランジ（２）によって形成される空洞は、例えば、珪砂、セルロースフレーク、発泡材、ＰＵフォームなどのような材料で充填されることを特徴とする請求項１から７までの１つまたは幾つかに従う構造体。
【請求項９】
上記ウェブ（３，４；３’，４’）において接続された端部領域（７，７’）が、上記フランジ（２）の幅の中央に位置することを特徴とする請求項１から８までの１つまたは幾つかに従う構造体。
【請求項１０】
上記フランジ（２）から、上記ウェブ（３，４）において接続された端部領域（７）までを限りとして、中間ウェブ（１２）が伸びていることを特徴とする請求項１から９までの１つまたは幾つかに従う構造体。
【請求項１１】
上記中間ウェブ（１２）は、上記フランジ（２）の内側に接していることを特徴とする請求項１０に従う構造体。
【請求項１２】
上記中間ウェブ（１２）は、上記フランジ（２）を通って、上記フランジ（２）の外側まで伸びていることを特徴とする請求項１０に従う構造体。
【請求項１３】
上記中間ウェブ（１２）は、上記構造体（１）に接着材で接続されることを特徴とする請求項１０から１２までの１つまたは幾つかに従う構造体。
【請求項１４】
上記フランジ（２）に取り付けられた２つのウェブ（３’，４’）が、上記フランジ（２）の一方の側に伸び、上記２つのウェブにおける両方の端部領域（７，７’）が、互いに対向する面で接続され、上記ウェブ（３’，４’）の断面が、それぞれの場合において「２重Ｓ字」状であることを特徴とする請求項１から１３までの１つまたは幾つかに従う構造体。
【請求項１５】
上記フランジ（２）は、上記構造体（１）の対称面上に設けられることを特徴とする請求項１４に従う構造体。
【請求項１６】
請求項１から１５までの１つまたは幾つかに従う構造体（１，１’）の少なくとも２つが、互いに並んで配置され、上記フランジの高さで、好ましくは接着材により、互いに接続されることによって形成された組立品（１５）。
【請求項１７】
少なくとも２つの構造体（１，１’）が、互いに並ぶように配置され、ここで、上記構造体（１，１’）のフランジ（２）が表面を形成し、上記フランジ（２）に配置された上記ウェブ（３，４；３’，４’）において、この場合に隣り合う端部領域（７，７’）で、好ましくは接着材により、上記構造体（１，１’）が接続されることと、上記構造体（１，１’）において上記フランジ（２）の反対側に位置するフランジ（１６）が、隣り合う上記構造体（１，１’）のそれぞれに上記ウェブ（３，４；３’，４’）において接続された、２つの自由な端部領域（７，７’）の間に挿入されて、上記ウェブ（３，４；３’，４’）の端部領域（７，７’）に、好ましくは接着材により接続されることを特徴とする請求項１６に従う組立品。
【請求項１８】
複数の構造体（１，１’）は、互いに並んで配置され、複数のフランジ（１６）を備えており、該フランジ（１６）は、上記構造体（１，１’）において上記フランジ（２）の反対側に位置することを特徴とする請求項１６に従うプレート状の組立品。
【請求項１９】
請求項１から１５までの１つまたは幾つかに従う構造体（１，１’）を製造する方法であって、ウェブ（３，４）が、好ましくは挽立て材から作成されたフランジ（２）に取り付けられ、上記ウェブは、長手の側の面において、上記フランジ（２）から離れて垂直に伸び、これにより、断面がＵ字状である構造体の未完成品（３１）が形成され、さらに、ウェブ（３，４）においてフランジ（２）の反対側に位置する自由な端部領域（７）が、楔形のように先細りとなり、最も狭い位置で平行な側壁（２６）を有する溝に合流する溝（２７）に挿入され、上記構造体の未完成品（３１）を、上記楔形溝（２７）に沿って、上記平行な側壁（２６）を有する溝にまで移動させることにより、上記楔形ゆえに変形していって、接着材で予め覆われている内側にて互いに接触され、平行な側壁（２６）を有する溝にて接触したままとなることを特徴とする方法。
【請求項２０】
上記溝（２７，２６）に沿っての上記構造体の未完成品（１）の移動は、上記構造体の未完成品（３１）に沿って伸び、上記構造体の未完成品（３１）の端部に取り付けられて、巻上げ機の助けによって引っ張られるロープのような引張り部材によってもたらされることを特徴とする請求項１９に従う方法。
【請求項２１】
請求項１から１５までの１つまたは幾つかに従う構造体（１）を製造する装置（２０）であって、長手方向に楔形状であり、最大幅が上記フランジ（２）の幅と、上記ウェブ（３，４）の２つの厚さとの合計に等しいかそれよりも大きく、最小幅が上記ウェブ（３，４）の２つの厚さの合計に等しいかそれよりも僅かに大きい溝（２７）と、長手方向に平行な側壁（２６）を有し、上記楔形溝（２７）の最小幅部分に隣接し或いは取り付け可能であり、長手方向の伸びが上記楔形溝（２７）の伸びと平行であり、幅が上記楔形溝（２７）の最小幅に略対応する溝とによって特徴付けられ、上記２つの溝の深さは、上記構造体（１）のウェブ（３，４）において接続された端部領域（７）の幅に少なくとも略対応することによって特徴付けられた装置。
【請求項２２】
構造体の未完成品（３１）を、上記楔形溝（２７）を介して上記平行な側壁（２６）を有する溝へ移動させる移動機であって、好ましくは、例えばロープ引張り機のように、上記構造体の未完成品（３１）を引っ張る移動機によって特徴付けられた、請求項２１に従う装置。
【請求項２３】
ロープを、上記構造体の未完成品（３１）に沿って、該未完成品の端部にまで移動させることができ、該端部に取り付けできるロープ引張り機によって特徴付けられた、請求項２２に従う装置。
【請求項２４】
平行な側壁（２６）を有する２またはそれ以上の溝であって、互いに並んで配列された溝と、或る溝（２６）から別の溝（２６）に移動されて、上記溝（２６）と一直線となることができる溝（２７）とによって特徴付けられた、請求項２１から２３までの何れかに従う装置。
【請求項２５】
上記溝（２６）と間隔を有し、構造体の未完成品（３１）のフランジ（２）が当接する力変換用案内手段（３３）によって特徴付けられた、請求項２１から２４までの１つまたは幾つかに従う装置。
【発明の詳細な説明】
【発明の詳細な説明】
【０００１】
本発明は、個々の部品から作成されたビーム状構造体であって、フランジと２つのウェブとを備える構造体に関し、同様に、該構造体によって形成された組立品に関する。さらに、本発明は、前記構造体を製造する方法および装置に関する。
【０００２】
上記フランジと２つの上記ウェブとを有し、断面が三角形に形成された構造体が知られている。このような構造体は、凸形の外形として製造される。本発明の目的は、複数の部品によって形成される上記のような構造体であって、上記フランジおよび上記ウェブに関して、異なる材料、または、それぞれ異なる処理が施された材料、すなわち、それぞれ異なるプレファブリケーションが行われた材料から、任意に形成されることができるような構造体を提供することにある。さらに、上記構造体は、荷持ち性が高く、同様に、ねじれ剛性が強いと考えられ、特に、簡単な方法で製造可能である。
【０００３】
本発明に従うと、以下により前記目的が達成される。すなわち、フランジにおける２つの長手の面のそれぞれに１つのウェブを設けられ、ここで、各ウェブは、上記フランジの長手の側壁に、好ましくは接着材によって取り付けられる。そして、上記フランジから離れて対向する上記ウェブの端部領域が、互いに対向する面で、好ましくは接着材によって接続される。ここで、上記ウェブは、それぞれの場合において、断面が「伸びたＳ字」状である。また、各ウェブは、上記フランジにおける長手の側壁全体を覆い、上記フランジの頂部全体を越えた位置で取り付けられると効果的である。
【０００４】
上記フランジの長手の側壁に沿って伸びる上記ウェブの端部は、それぞれ、上記フランジの外側における少なくとも一部と同一の平面になっていることが好ましい。これは、具体的には、組立後の上記構造体または上記構造体の未完成品にそれぞれ機械加工を施すことにより行われる。
【０００５】
高い荷受け性と同時に、良好なねじれ剛性を達成するために、上記フランジの幅対上記ウェブの高さの比の範囲は、１：２０と１：１との間であり、好ましくは１：６から１：１であり、具体的には１：３．５〜１：２．５である。
【０００６】
上記構造体は、木製であることを特徴とすることが好ましい。また、上記フランジは挽立て材から製造されることが好ましく、上記ウェブは合板から製造されることが好ましい。さらに、上記ウェブは、３層の合板から形成され、該合板の外側の２層における木の繊維が、上記構造体の長手方向に伸びていることが好適である。この構成により、死荷重と荷持ち強度との比が特に良好となる。さらに、製材工場からの低品質な挽立て材を上記フランジに使用でき、その結果、上記挽立て材の付加価値が向上する。
【０００７】
上記構造体を接着材でしっかり接着する場合、グルー、特に合成樹脂のグルーとＰＵグルーとを、木材用接着材として使用することが好ましい。マイクロ波硬化型またはＵＶ硬化型である近時の接着材により、さらなる可能性が提供される。液状のグルーに代えてフィルム状のグルーを使用することも同様に可能である。
【０００８】
上記ウェブおよび上記フランジによって形成される空洞は、例えば、珪砂、セルロースフレーク、発泡材、ＰＵフォームなどのような材料で充填されることが好ましい。この充填により、例えば、保温および防音の要求を満たすといった、あらゆる問題点が解消される。所望に応じて、上記充填は、上記構造体の設置前または設置後に行うことができる。後者の場合、操作がより容易になるという利点がある。その具体的な理由は、上記後者の場合のみ、軽量の中空構造体が運ばれることになるからである。
【０００９】
上記ウェブにおいて接続された端部領域が、上記フランジの幅の中央に位置することを特徴とする、対称的な断面を有する構造体は、応力に関して効果的である。
【００１０】
荷持ち性を向上させるため、上記フランジから、上記ウェブにおいて接続された端部領域までを限りとして、中間ウェブが伸びている。該中間ウェブは、上記フランジの内側に接していると効果的である。なお、別の実施形態では、上記中間ウェブは、上記フランジの内側を通って外側まで伸びている。また、上記中間ウェブが上記構造体の全長に亘って伸びている必要はない。また、上記中間ウェブを端から挿入することもできるし、或いは、上記フランジに設けた溝を介して、上記構造体に上記中間ウェブを導入することもできる。
【００１１】
上記中間ウェブを上記構造体に接着材で接続すると、上記荷持ち性がさらに向上することになる。
【００１２】
上記構造体の変形例は、上記フランジに取り付けられた２つのウェブが、上記フランジの一方の側に伸び、上記２つのウェブにおける両方の端部領域が、互いに対向する面で接続され、上記ウェブの断面が、それぞれの場合において「２重Ｓ字」状である点を特徴としている。これにより、上記フランジは、上記構造体の対称面上に設けられる利点を有する。
【００１３】
本発明に従う構造体を並べて互いに取り付けることにより、上記構造体を組み立てた組立品を形成することもできる。これにより、少なくとも２つの構造体が、互いに並ぶように配置され、ここで、上記構造体のフランジが表面を形成し、上記フランジに配置された上記ウェブにおいて、この場合に隣り合う端部領域で、好ましくは接着材により、上記構造体が接続されることと、上記構造体において上記フランジの反対側に位置するフランジが、隣り合う上記構造体のそれぞれに上記ウェブにおいて接続された、２つの自由な端部領域の間に挿入されて、上記ウェブの端部領域に、好ましくは接着材により接続されることが有利である。
【００１４】
複数の構造体は、上記のように互いに並んで配置され、複数のフランジを備えており、該フランジは、上記構造体において上記フランジの反対側に位置することにより、プレート状の組立品となる。
【００１５】
プレート状の組立品は、種々の変形例が知られている。例えば、特許文献「ＡＴ  ２８５  １２９  Ａ」に開示の壁要素は、板から組み立てられた２つの離間したカバー用壁部によって形成されている。上記カバー用壁部の間には、壁板部がジグザグ配列で挿入され、それぞれの場合において、上記２つのカバー用壁部に抗して設けられている。必要があれば、上記壁板部は、上記カバー用壁部に接着される。この構造は、重くはないが、製造が非常に複雑である。
【００１６】
特許文献「ＷＯ  ０２／０６６０６  Ａ１」には、プレート状の構造体が開示されており、２つの離間したカバー用プレートが中間ウェブに同様に接続されている。このウェブは、それぞれの場合において、２つのカバープレートと直角をなして伸びている。
【００１７】
さらに、プレート状の組立品の間に、ジグザグ状の挿入物が伏臥位置または起立位置の何れかで同様に設けられ、これによりハニカム構造が形成されるような、プレート状の組立品もまた、特許文献「ＧＢ  ５６０９１３  Ａ」に開示されている。また、プレート要素間のハニカム構造は、特許文献「ＡＴ  １９６  １１３  Ａ」に開示されている。
【００１８】
さらに、本発明は、本発明に従う形状の構造体を製造する方法に関する。前記方法は、ウェブが、好ましくは挽立て材から作成されたフランジに取り付けられ、好ましくは固定され、上記ウェブは、長手の側の面において、上記フランジから離れて垂直に伸び、これにより、断面がＵ字状である構造体の未完成品が形成され、さらに、ウェブにおいてフランジの反対側に位置する自由な端部領域が、楔形のように先細りとなり、最も狭い位置で平行な側壁を有する溝に合流する溝に挿入され、上記構造体の未完成品を、上記楔形溝に沿って、上記平行な側壁を有する溝にまで移動させることにより、上記楔形ゆえに変形していって、接着材で予め覆われている内側にて互いに接触され、平行な側壁を有する溝にて接触したままとなることを特徴としている。
【００１９】
上記溝に沿っての上記構造体の未完成品の移動は、上記構造体の未完成品に沿って伸び、上記構造体の未完成品の端部に取り付けられて、巻上げ機の助けによって引っ張られるロープのような引張り部材によってもたらされることが好ましい。また、上記構造体の未完成品は、圧縮力により上記溝に沿って変位できることは言うまでもない。
【００２０】
本発明に従う構造体を製造する装置は、長手方向に楔形状であり、最大幅が上記フランジの幅と、上記ウェブの２つの厚さとの合計に等しいかそれよりも大きく、最小幅が上記ウェブの２つの厚さの合計に等しいかそれよりも僅かに大きい溝と、長手方向に平行な側壁を有し、上記楔形溝の最小幅部分に隣接し或いは取り付け可能であり、長手方向の伸びが上記楔形溝の伸びと平行であり、幅が上記楔形溝の最小幅に略対応する溝とによって特徴付けられ、上記２つの溝の深さは、上記構造体のウェブにおいて接続された端部領域の幅に少なくとも略対応することによって特徴付けられる。
【００２１】
好ましい実施形態では、構造体の未完成品を、上記楔形溝を介して上記平行な側壁を有する溝へ移動させる移動機であって、好ましくは、例えばロープ引張り機のように、上記構造体の未完成品を引っ張る移動機によって特徴付けられる。これにより、ロープを、上記構造体の未完成品に沿って、該未完成品の端部にまで移動させることができ、該端部に取り付けできるロープ引張り機が提供されて、上記の目的に関して有利である。
【００２２】
連続して生産するために、平行な側壁を有する２またはそれ以上の溝であって、互いに並んで配列された溝と、或る溝から別の溝に移動されて、上記溝と一直線となることができる溝とが設けられる場合が適している。
【００２３】
上記平行な側壁を有する溝内での上記ウェブの内部応力が非常に大きいので、外側への圧縮力、すなわち、上記溝の底部に垂直で、上記溝から離れる実効的な方向への圧縮力が生成される。特に、上記ウェブが木材から形成される場合はそうである。この圧縮力は、上記構造体を飛び出させる要因になり得る。従って、上記溝への方向であって、上記溝の底部に垂直な方向に逆圧を印加することが好適である。前記逆圧は、上記溝と間隔を有し、上記構造体の未完成品のフランジが当接する力変換用案内手段が設けられることにより生成される。
【００２４】
以下、本発明は、図面に示される代表的な実施形態としてさらに例示される。図１、図２、および図３は、それぞれ異なる構造体の斜視図である。図４〜図１０は、個々の構造体から組み立てられた組立品を、横断面および縦断面で示している。図１１および図１２には、構造体を製造するための装置の斜視図が示されている。図１３Ａ〜図１３Ｄは、上記装置の動作を、同様の斜視図で示している。
【００２５】
図１に示される構造体１は、フランジ２と２つのウェブ３・４とによって形成される。ここで、上記ウェブは、フランジ２の側面５・６、すなわち細い縁の面に取り付けられており、この取付けは接着により行われることが好ましい。ウェブ３・４において、フランジ２に取り付けられていない側の２つの端部は、端部領域７で面接続され、すなわち、互いに対向する面８・９で接続される。この接続もまた、接着材によって行われることが好ましい。このため、ウェブ３・４は、それぞれの場合において断面が伸びたＳ字状となっている。フランジ２は、挽立て材から作成されることが好ましい。この挽立て材は、製材工場から安価に提供される。また、上記挽立て材を、幾つかの異なる部品から公知の方法で長手方向に組み立てることができる。ウェブ３・４は合板から作成されることが好適である。上記合板は、３層であり、外側の２層は、その繊維と共に、上記構造体の長手方向に伸びていることが好ましい。上記構造体の断面の２分線１０は、ウェブ３・４において互いに接続された２つの端部領域７から垂直に伸ばすと、フランジ２の幅の範囲における中央に達することを意味する。
【００２６】
本発明に従う構造体１は、以下の利点を有する。すなわち、原則的には、構造体１は、一般にあらゆる種類の材料から形成することができ、フランジ２とウェブ３・４とに関してそれぞれ異なる材料から形成することができる。ここで、ウェブ３・４に関しては、剪断力を吸収することができ、さらに、可撓性を有し、好ましくは接着性を有する材料が優先して考慮される。例えば、ウェブ３・４は、厚紙、プラスチック、薄板金、多層合板その他の木材から作成することができる。同様に、フランジ２は、プラスチック、厚紙、多層合板のような種々の材料から作成することも可能であるし、金属から作成することも可能である。
【００２７】
図２に示す実施形態によると、フランジ２およびウェブ３・４によって囲まれた空洞１１に中間ウェブ１２が挿入されており、該中間ウェブは、構造体１の端部から導入されている。上記中間ウェブ１２は、ウェブ３・４と同様の材料から形成されることを選択でき、接着により、ウェブ３・４またはフランジ２とそれぞれ接続することができる。
【００２８】
図３に示す実施形態によると、中間ウェブ１２は、フランジ２におけるスロット溝に挿入され、フランジ２の外側１４までを限りとして伸びている。図２および図３に示すような構造体１の変形例により、荷持ち強度が非常に強くなると共に、ねじれ強度が向上する。
【００２９】
図４および図５に示す組立品１５は、図１に従う構造体１の幾つかから形成されており、これらの構造体１は、並べられて互いに接続されている。ここで、個々の構造体１において面接続されたウェブ３・４の自由端のそれぞれは、フランジ１６を介して、望ましくは接着材で接着することにより、相互に接続されている。図６に示す組立品では、
比「上記構造体の幅１７：上記構造体１の高さ１８」が、およそ１：１．５である。一方、図４に従う組立品では、上記比が最低でも１：３より上である。
【００３０】
図６および図７から理解できるように、上記比１：１．５により、ウェブ３・４は、Ｓ字状の湾曲がより強くなる。これは、ウェブ３・４が十分な可撓性を有する場合に許容でき、特に、組立品１５の上側のフランジ１６と、組立品１５の下側のフランジ２との間に剪断力が発生する場合に、安定性の向上をもたらす。
【００３１】
図８は、図７と同様の実施形態を示しているが、図８の場合、空洞１１がＰＵフォームで充填されている。これもまた、荷持ち強度の増加に寄与する。要求（防音、荷持ち強度の増加、断熱など）により、前記空洞１１に異なる材料を充填することができる。
【００３２】
図１０は組立品１５’を示しており、この組立品１５’は構造体１’の実施形態によって形成されている。ここでは、それぞれの場合においてフランジ２に取り付けられた２つのウェブ３’・４’は、フランジ２の両側にそれぞれ伸びており、端部領域７・７’が互いに対向する面で接続している。このため、ウェブ３’・４’の断面が伸びた２重Ｓ字状となる。
【００３３】
図１１には、図１に示す構造体１を製造する装置２０が示されている。前記装置２０は、ボックス状のトンネル２１を備えており、該トンネル２１は、外側に働く力を吸収するために、トンネル２１の長手方向に離間して配置されたフレームによって補強されている。
【００３４】
上記トンネルの底部２３において、横桟２４がウェブ３・４において面接続された２つの端部領域７の厚さ２５よりも僅かに大きい間隔で配置されている。前記横桟２４は、いわば平行な側壁を有する溝２６が形成される。さらに、前記溝の深さは、ウェブ３・４の２つの端部領域７が面接続される高さよりも僅かに大きいような寸法である。上記ウェブの幅は、フランジ２の幅に対応することが好ましい。
【００３５】
また、楔形の溝２７は、概略的には横桟２４と同じタイプである横桟２８によって形成され、指示装置２９上に設けられる。指示装置２９は、平行な側壁２６を有する或る溝から、平行な側壁２６を有する別の溝に、矢印３０の方向に移設可能である。前記楔形溝２７の楔の形状は、長手方向に、平行な側壁２６を有する溝へ向かって先細りとなっている。楔形溝２７は、構造体の未完成品３１を受け取るのに役立つ。上記未完成品３１は、フランジ２と、フランジ２に取り付けられ、かつフランジ２の横から伸びる２つのウェブ３・４とによって形成されるが、未完成品３１のウェブは、未変形であり、互いに平行な状態にある。また、楔形溝２７は、平行な側壁２６を有する溝に前記未完成品を挿入するのに役立つ。上記構造体の未完成品が、図１２の矢印３２の方向に変位すると、ウェブ３・４の端部領域７が互いに押しつけられる。このため、ウェブ３・４において互いに接続されるべき端部領域７には、予め接着材が塗布されている。平行な側壁２７を有する上記溝から構造体の未完成品３１が飛び出すこと――これはウェブ３・４が変形する間に発生する圧縮力が原因であるが――を防止するため、図１２から理解できるように、フランジ２が、平行な側壁２６を有する溝の反対側に位置するトンネル２１の内面３３に当接した状態になるような寸法に、トンネル２１の高さを合わせる。図１３Ａ〜図１３Ｄには、楔形溝２７に沿って長手方向に変位する間に、ウェブ３・４の変形がどのように行われるかが示されている。
【００３６】
構造体の未完成品３１の変位は、圧縮力、或いはまた引張力によりもたらされることができる。特に効果的なことは、構造体の未完成品３１において、ウェブ３・４の間に位置する空洞を通り抜けるようにロープを案内し、上記未完成品３１の後端に前記ロープを固定し、トンネル２１を通り抜けて伸びる上記ロープに対し、ロープ巻上げ機の助けによって引張力を加えることである。該引張力により、構造体の未完成品３１が矢印３２の方向へ移動する。
【００３７】
個々の構造体１・１’からプレート状の組立品１５を形成することは、圧縮台において、隣り合う構造体１・１’が、互いに隣接する側に接着材を予め加えて、互いに押圧されることにより好適に行われる。なお、構造体１・１’において、フランジ２に対応するフランジ１６が、相互接続されたウェブ３・４・３’・４’のそれぞれの自由端領域７の間に予め挿入されているとしている。
【００３８】
木材を使用する場合、ウェブ３・４・３’・４’と、フランジ２・１６または構造体１・１’とのそれぞれの相互接続は、グルー、特に合成樹脂グルーによってもたらされることが好ましい。上記構造体の個々の要素が、他の材料である場合、前記個々の部品の接続が、それぞれのタイプに従って、すなわち、例えばハンダ付け、溶接、ネジ止めなどによってもたらされる。
【図面の簡単な説明】
【００３９】
【図１】本発明に係る或る構造体の斜視図である。
【図２】本発明に係る別の構造体の斜視図である。
【図３】本発明に係る他の構造体の斜視図である。
【図４】個々の構造体から組み立てられた組立品の横断面図である。
【図５】個々の構造体から組み立てられた組立品の縦断面図である。
【図６】個々の構造体から組み立てられた組立品の横断面図である。
【図７】個々の構造体から組み立てられた組立品の縦断面図である。
【図８】個々の構造体から組み立てられた組立品の横断面図である。
【図９】個々の構造体から組み立てられた組立品の縦断面図である。
【図１０】個々の構造体から組み立てられた組立品の横断面図である。
【図１１】構造体を製造するための装置を示す斜視図である。
【図１２】構造体を製造するための装置を示す斜視図である。
【図１３Ａ】上記装置の動作を示す斜視図である。
【図１３Ｂ】上記装置の動作を示す斜視図である。
【図１３Ｃ】上記装置の動作を示す斜視図である。
【図１３Ｄ】上記装置の動作を示す斜視図である。
【図１】
2008528830.tif 000003
【図２】
2008528830.tif 000004
【図３】
2008528830.tif 000005
【図４】
2008528830.tif 000006
【図５】
2008528830.tif 000007
【図６】
2008528830.tif 000008
【図７】
2008528830.tif 000009
【図８】
2008528830.tif 000010
【図９】
2008528830.tif 000011
【図１０】
2008528830.tif 000012
【図１１】
2008528830.tif 000013
【図１２】
2008528830.tif 000014
【図１３Ａ】
2008528830.tif 000015
【図１３Ｂ】
2008528830.tif 000016
【図１３Ｃ】
2008528830.tif 000017
【図１３Ｄ】
2008528830.tif 000018
【国際調査報告】
2008528830.tif 000019
2008528830.tif 000020
2008528830.tif 000021
2008528830.tif 000022